(57)【要約】【課題】  トレイの前後進動作を安定させ簡単安価な構造でディスクのメディア面を能率良く清掃すること。【解決手段】  ローディング信号に基づいて、トレイ１を後進ｂさせ、ドライブシャーシ３を上動ｄさせてターンテーブル５によりトレイ１上のディスクＤを持ち上げると同時に台車１６上の清掃具１５をディスクＤに当接させ、読取動作のために後進ｂする光ピックアップ４により台車１６を元の位置まで押し出すことにより、清掃具１５をディスクＤのメディア面に沿って半径外方向に該ディスクＤから外れる位置までスライドさせる。【選択図】        図９
2006228270.tif 000002
【特許請求の範囲】
【請求項１】
ディスク載置用トレイを前後進可能に支持するメインシャーシと、該メインシャーシに
上下動可能に枢支されたドライブシャーシとを有し、該ドライブシャーシ上に前後進可能
な光ピックアップとターンテーブルとが配置されており、アンローディング信号に基づい
て、光ピックアップを前進させ、ドライブシャーシを下動させてターンテーブル上のディ
スクをトレイのディスク載置凹部上に受け渡した後、該トレイを前進させ、ローディング
信号に基づいて、トレイを後進させ、ドライブシャーシを上動させてターンテーブルによ
りトレイ上のディスクを持ち上げ、光ピックアップを後進させてディスクの読取動作を行
うように形成され、前記トレイのディスク載置凹部の脇に従動ギヤ付きクリーナが基端部
を中心に揺動可能に配置され、前記メインシャーシ内にギヤ機構付きクリーナモータが配
置されており、ローディング信号に基づいて、トレイを後進させることにより、クリーナ
の従動ギヤをクリーナモータのギヤ機構に噛合させ、該クリーナモータを駆動しギヤ機構
及び従動ギヤを介してクリーナを往復揺動させることにより、そのクリーナでディスクの
メディア面を清掃するようにしたディスク装置において、前記ギヤ機構付きクリーナモー
タを省略し、従動ギヤ付きクリーナに替えて清掃具付き台車が用いられると共に、清掃具
を揺動させる揺動機構が設けられ、前記台車がドライブシャーシの光ピックアップより後
側に前後進可能に配置され、前記揺動機構が、台車上の枢支軸に水平方向に揺動可能に枢
支され先端部に前記清掃具を設けた揺動アームと、該揺動アームの基端部に突設されてト
レイの下面のカム溝に嵌入するカムピンと、その揺動アームを一方向に付勢するばねと、
台車に突設さればねに抗して揺動アームの回動範囲を規制するストッパピンとを有し、前
記カム溝の後端に押出杆が垂設されており、アンローディング信号に基づいて、トレイの
前進により押出杆をカムピンに押し付けて台車を光ピックアップに接近または当接する位
置まで押し出し、ローディング信号に基づいて、ドライブシャーシを上動させてターンテ
ーブルによりトレイ上のディスクを持ち上げると同時に該ディスクに清掃具を当接させ、
読取動作のために後進する光ピックアップにより台車を元の位置まで押し出し、その押し
出し動作によりカムピン及びカム溝を介して揺動アームを揺動させ、清掃具をディスクの
メディア面に沿って半径外方向に該ディスクから外れる位置までスライドさせると同時に
揺動させるようにしたことを特徴とするディスク装置。
【請求項２】
ディスク載置用トレイを前後進可能に支持するメインシャーシと、該メインシャーシに
上下動可能に枢支されたドライブシャーシとを有し、該ドライブシャーシ上に前後進可能
な光ピックアップとターンテーブルとが配置されており、アンローディング信号に基づい
て、光ピックアップを前進させ、ドライブシャーシを下動させてターンテーブル上のディ
スクをトレイのディスク載置凹部上に受け渡した後、該トレイを前進させ、ローディング
信号に基づいて、トレイを後進させ、ドライブシャーシを上動させてターンテーブルによ
りトレイ上のディスクを持ち上げ、光ピックアップを後進させてディスクの読取動作を行
うように形成されたディスク装置において、前記ドライブシャーシ上の光ピックアップよ
り後側に清掃具付き台車が前後進可能に配置され、その台車に対向して前記トレイの後端
部に押出杆が垂設されており、アンローディング信号に基づいて、トレイの前進により押
出杆を介して台車を光ピックアップに接近または当接する位置まで押し出し、ローディン
グ信号に基づいて、ドライブシャーシを上動させてターンテーブルによりトレイ上のディ
スクを持ち上げると同時に該ディスクに清掃具を当接させ、読取動作のために後進する光
ピックアップにより台車を元の位置まで押し出すことにより、清掃具をディスクのメディ
ア面に沿って半径外方向に該ディスクから外れる位置までスライドさせるようにしたこと
を特徴とするディスク装置。
【請求項３】
前記光ピックアップの読取動作のための後進に連動して清掃具を水平方向に揺動させる
揺動機構が設けられていることを特徴とする請求項２に記載のディスク装置。
【請求項４】
前記揺動機構が、台車上の枢支軸に水平方向に揺動可能に枢支され先端部に前記清掃具
を設けた揺動アームと、該揺動アームの基端部に突設されてトレイの下面のカム溝に嵌入
するカムピンと、その揺動アームを一方向に付勢するばねと、台車に突設さればねに抗し
て揺動アームの回動範囲を規制するストッパピンとを有しており、読取動作のために後進
する光ピックアップによる台車の押し出し動作により、カムピン及びカム溝を介して揺動
アームを揺動させ、清掃具をディスクのメディア面に沿って揺動させるようにしたことを
特徴とする請求項３に記載のディスク装置。
【発明の詳細な説明】
【技術分野】
【０００１】
本発明は、例えばＤＶＤレコーダなどのディスクの再生や記録または消去するためのデ
ィスク装置に関し、特に、簡単安価な構造でディスクのメディア面を清掃することができ
るようにしたものである。
【背景技術】
【０００２】
従来、ＤＶＤレコーダの一例として特許文献１に記載したものがあり、これは、図１０
に示すように、ディスクＤ載置用トレイ１を前後進ａ，ｂ可能に支持するメインシャーシ
２と、該メインシャーシ２に上下動可能に枢支されたドライブシャーシ（図示せず）とを
有し、該ドライブシャーシに前後進ａ，ｂ可能な光ピックアップ４とターンテーブル５と
が配置されている。
【０００３】
上記構成において、アンローディング信号に基づいて、光ピックアップ４を前進ａさせ
、ドライブシャーシを下動させてターンテーブル５上のディスクＤをトレイ１のディスク
載置凹部１ａ上に受け渡した後、該トレイ１を前進ａさせ〔図１０（ａ）参照〕、そのト
レイ１上のディスクＤを取り外したり新たなディスクＤをディスク載置凹部１ａ上に載置
し、ローディング信号に基づいて、トレイ１を後進ｂさせ〔図１０（ｂ）参照〕、ドライ
ブシャーシを上動させてターンテーブル５によりトレイ１上のディスクＤを持ち上げ、光
ピックアップ４を後進ｂさせてディスクＤの読取動作を行う。
【０００４】
前記トレイ１のディスク載置凹部１ａの脇に従動ギヤ６付きクリーナ７が基端部７ａを
中心に水平方向に揺動可能に配置され、メインシャーシ２内にギヤ機構８付きクリーナモ
ータ９が配置されており、ローディング信号に基づいて、トレイ１を後進ｂさせることに
より〔図１０（ｂ）参照〕、クリーナ７の従動ギヤ６をクリーナモータ９のギヤ機構８に
噛合させ、該クリーナモータ９を駆動しギヤ機構８及び従動ギヤ６を介してクリーナ７を
往復揺動させることにより、そのクリーナ７でディスクＤのメディア面を清掃する。
【特許文献１】実開平２−８９６９１号公報
【発明の開示】
【発明が解決しようとする課題】
【０００５】
上記従来の構成では、従動ギヤ６つきクリーナ７がトレイ１に配置されており、該トレ
イ１が重くなっているため、そのトレイ１の前後進ａ，ｂ動作が不安定になったり、騒音
が生じたりすることがあり、また、トレイ１を前後進ａ，ｂさせるローディングモータと
して駆動力が大ききものが必要であり、コストアップになる。更に、クリーナ７を揺動さ
せるために高価なクリーナモータ９を用いており、大幅なコストアップになっている。
【０００６】
本発明は、上記従来の欠点に鑑み、トレイの前後進動作を安定させ簡単安価な構造でデ
ィスクのメディア面を能率良く清掃することができるようにしたディスク装置を提供する
ことを目的としている。
【課題を解決するための手段】
【０００７】
上記目的を達成するため、請求項１に記載の発明は、ディスク載置用トレイを前後進可
能に支持するメインシャーシと、該メインシャーシに上下動可能に枢支されたドライブシ
ャーシとを有し、該ドライブシャーシ上に前後進可能な光ピックアップとターンテーブル
とが配置されており、アンローディング信号に基づいて、光ピックアップを前進させ、ド
ライブシャーシを下動させてターンテーブル上のディスクをトレイのディスク載置凹部上
に受け渡した後、該トレイを前進させ、ローディング信号に基づいて、トレイを後進させ
、ドライブシャーシを上動させてターンテーブルによりトレイ上のディスクを持ち上げ、
光ピックアップを後進させてディスクの読取動作を行うように形成され、前記トレイのデ
ィスク載置凹部の脇に従動ギヤ付きクリーナが基端部を中心に揺動可能に配置され、前記
メインシャーシ内にギヤ機構付きクリーナモータが配置されており、ローディング信号に
基づいて、トレイを後進させることにより、クリーナの従動ギヤをクリーナモータのギヤ
機構に噛合させ、該クリーナモータを駆動しギヤ機構及び従動ギヤを介してクリーナを往
復揺動させることにより、そのクリーナでディスクのメディア面を清掃するようにしたデ
ィスク装置において、前記ギヤ機構付きクリーナモータを省略し、従動ギヤ付きクリーナ
に替えて清掃具付き台車が用いられると共に、清掃具を揺動させる揺動機構が設けられ、
前記台車がドライブシャーシの光ピックアップより後側に前後進可能に配置され、前記揺
動機構が、台車上の枢支軸に水平方向に揺動可能に枢支され先端部に前記清掃具を設けた
揺動アームと、該揺動アームの基端部に突設されてトレイの下面のカム溝に嵌入するカム
ピンと、その揺動アームを一方向に付勢するばねと、台車に突設さればねに抗して揺動ア
ームの回動範囲を規制するストッパピンとを有し、前記カム溝の後端に押出杆が垂設され
ており、アンローディング信号に基づいて、トレイの前進により押出杆をカムピンに押し
付けて台車を光ピックアップに接近または当接する位置まで押し出し、ローディング信号
に基づいて、ドライブシャーシを上動させてターンテーブルによりトレイ上のディスクを
持ち上げると同時に該ディスクに清掃具を当接させ、読取動作のために後進する光ピック
アップにより台車を元の位置まで押し出し、その押し出し動作によりカムピン及びカム溝
を介して揺動アームを揺動させ、清掃具をディスクのメディア面に沿って半径外方向に該
ディスクから外れる位置までスライドさせると同時に揺動させるようにしたことを特徴と
している。
【０００８】
請求項２に記載の発明は、ディスク載置用トレイを前後進可能に支持するメインシャー
シと、該メインシャーシに上下動可能に枢支されたドライブシャーシとを有し、該ドライ
ブシャーシ上に前後進可能な光ピックアップとターンテーブルとが配置されており、アン
ローディング信号に基づいて、光ピックアップを前進させ、ドライブシャーシを下動させ
てターンテーブル上のディスクをトレイのディスク載置凹部上に受け渡した後、該トレイ
を前進させ、ローディング信号に基づいて、トレイを後進させ、ドライブシャーシを上動
させてターンテーブルによりトレイ上のディスクを持ち上げ、光ピックアップを後進させ
てディスクの読取動作を行うように形成されたディスク装置において、前記ドライブシャ
ーシ上の光ピックアップより後側に清掃具付き台車が前後進可能に配置され、その台車に
対向して前記トレイの後端部に押出杆が垂設されており、アンローディング信号に基づい
て、トレイの前進により押出杆を介して台車を光ピックアップに接近または当接する位置
まで押し出し、ローディング信号に基づいて、ドライブシャーシを上動させてターンテー
ブルによりトレイ上のディスクを持ち上げると同時に該ディスクに清掃具を当接させ、読
取動作のために後進する光ピックアップにより台車を元の位置まで押し出すことにより、
清掃具をディスクのメディア面に沿って半径外方向に該ディスクから外れる位置までスラ
イドさせるようにしたことを特徴としている。
【０００９】
請求項３に記載の発明は、請求項２に記載の発明において、前記光ピックアップの読取
動作のための後進に連動して清掃具を水平方向に揺動させる揺動機構が設けられているこ
とを特徴としている。
【００１０】
請求項４に記載の発明は、請求項３に記載の発明において、前記揺動機構が、台車上の
枢支軸に水平方向に揺動可能に枢支され先端部に前記清掃具を設けた揺動アームと、該揺
動アームの基端部に突設されてトレイの下面のカム溝に嵌入するカムピンと、その揺動ア
ームを一方向に付勢するばねと、台車に突設さればねに抗して揺動アームの回動範囲を規
制するストッパピンとを有しており、読取動作のために後進する光ピックアップによる台
車の押し出し動作により、カムピン及びカム溝を介して揺動アームを揺動させ、清掃具を
ディスクのメディア面に沿って揺動させるようにしたことを特徴としている。
【発明の効果】
【００１１】
請求項１に記載の発明は実施の一形態（図１〜図９参照）に対応するものであって、こ
れによれば、ディスクのメディア面を清掃するための清掃具付き台車がドライブシャーシ
上の光ピックアップより後側に配置されてトレイから縁切りされており、該トレイの重量
が従来のように増加していないので、そのトレイを安定して静かに前後進させることがで
き、しかも、トレイを前後進させるローディングモータの駆動力を大きくする必要もなく
、経済的である。
【００１２】
また、トレイの前進と光ピックアップの後進とを利用して前記清掃具付き台車が前後進
されるようになっており、その台車を駆動するための専用モータが不要であるから、大幅
にコストダウンを図ることができる。
【００１３】
更に、揺動機構により清掃具をディスクの半径方向にスライドさせると同時に、該清掃
具を水平方向に揺動させるようになっているので、その清掃具によりディスクのメディア
面を確実に清掃することができる。
【００１４】
前記揺動機構が、先端部に清掃具を設けた揺動アームと、トレイの下面のカム溝に嵌入
させたカムピンと、ばねと、ストッパピンとを有しており、その構造が簡単であるから、
製作費が安くつくと共に、カムピンをカム溝に沿って移動させることにより、清掃具を確
実に揺動させることできる。
【００１５】
請求項２に記載の発明は基本形態に対応するものであって、これによれば、ディスクの
メディア面を清掃するための清掃具付き台車がドライブシャーシ上の光ピックアップより
後側に配置されてトレイから縁切りされており、該トレイの重量が従来のように増加して
いないので、そのトレイを安定して静かに前後進させることができ、しかも、トレイを前
後進させるローディングモータの駆動力を大きくする必要もなく、経済的である。
【００１６】
また、トレイの前進と光ピックアップの後進とを利用して前記清掃具付き台車が前後進
されるようになっており、その台車を駆動するための専用モータが不要であるから、大幅
にコストダウンを図ることができる。
【００１７】
更に、ローディング信号に基づいて、台車を後進させ、ディスクに当接する清掃具を該
ディスクの半径外方向にスライドさせることにより、そのディスクのメディア面を綺麗に
清掃することができる。
【００１８】
請求項３に記載の発明によれば、清掃具をディスクの半径方向にスライドさせると同時
に、該清掃具を揺動機構により水平方向に揺動させるようになっているので、その清掃具
によりディスクのメディア面を一層確実に清掃することができる。
【００１９】
請求項４に記載の発明によれば、揺動機構が、先端部に清掃具を設けた揺動アームと、
トレイの下面のカム溝に嵌入させたカムピンと、ばねと、ストッパピンとを有しており、
その構造が簡単であるから、製作費が安くつくと共に、カムピンをカム溝に沿って移動さ
せることにより、清掃具を確実に揺動させることできる。
【発明を実施するための最良の形態】
【００２０】
図１及び図２は本発明の実施の一形態であるＤＶＤレコーダ（ディスク装置）を示すも
のであって、ドライブシャーシ３の後部が２つのゴム製後側弾性体１１ａを介してメイン
シャーシ２に上下動ｃ，ｄ可能に枢支されると共に、該ドライブシャーシ３の前部が２つ
のゴム製前側弾性体１１ｂを介して昇降体１２に連結され、該昇降体１２の前面に突設し
た一対のカム軸１３が前後進ａ，ｂ方向とは直交する左右方向ｅ，ｆにスライド可能なカ
ムスライダ１４のカム溝１４ａに嵌入され、ドライブシャーシ３上の光ピックアップ４よ
り後側に清掃具１５付き台車１６が前後進ａ，ｂ可能に配置されると共に、前記清掃具１
５を水平方向ｇ，ｈに揺動させる揺動機構１７が設けられている。
【００２１】
前記光ピックアップ４は、ドライブシャーシ３に配設した左右一対のガイドレール１９
ａ，１９ｂに嵌合され、側面に設けたラック２０がピニオン２１に噛合されており、フィ
ードモータ（図示せず）によりピニオン２１を正逆回転させると、ラック２０を介して光
ピックアップ４がガイドレール１９ａ，１９ｂに沿って前後進ａ，ｂされる。なお、図２
中、２２はターンテーブル５を正逆回転させるためのスピンドルモータ、２３はメインシ
ャーシ２に架設した天板部２ａに一体範囲内昇降可能に取り付けられた磁石２３ａ付きデ
ィスククランパである。
【００２２】
前記台車１６は、図３〜図５に示すように、一方のガイドレール１９ａとドライブシャ
ーシ３の中央に開設した開口部２５の内周縁２５ａとに前後進ａ，ｂに嵌合されている。
【００２３】
前記揺動機構１７は、図３〜図６に示すように、台車１６上の枢支軸２６に水平方向ｇ
，ｈに揺動可能に枢支され先端部にフェルトなどの不織布からなる前記清掃具１５を設け
た揺動アーム２７と、該揺動アーム２７の基端部に突設されてトレイ１の下面のカム溝２
８に嵌入するカムピン２９と、揺動アーム２７の枢支軸２６より先端側に突設した係合ピ
ン３０から台車１６上の係合ピン３１にかけて張設されることにより該揺動アーム２７を
一方向ｈに付勢するばね３２と、台車１６に突設さればね３２に抗して揺動アーム２７の
回動範囲を規制するストッパピン３３とを有し、図６に示すように、前記カム溝２８の中
央部２８ａが前後進ａ，ｂとほぼ平行に形成されると共に、該中央部２８ａの両端から前
後に延びる両端部２８ｂ，２８ｃがトレイ１の中央部に接近するようになだらかに傾斜さ
れており、カムピン２９がカム溝２８に沿って移動することにより、揺動アーム２７がば
ね３２に抗して水平方向ｇ，ｈに揺動され，その揺動角度が、カム溝２８の中央部２８ａ
と両端部２８ｂ，２８ｃとの位置ずれ幅αにより設定されている。
【００２４】
図５に示すように、前記カム溝２８の後端に、カムピン２９を介して台車１６を前進ａ
させるための押出杆３４が垂設されており、図７に示すように、アンローディング信号に
基づいてドライブシャーシ３を下動ｃさせ、トレイ１を前進ａさせることにより、押出杆
３４をカムピン２９に押しつけて台車１６を光ピックアップ４に接近または当接する位置
まで押し出し、その押し出し動作終了後、押出杆３４がカムピン２９の上を通過するよう
に、その押出杆３４の突出長さｔが設定されている（図７拡大図の仮想線参照）。
【００２５】
操作手順を説明すると、図１及び図２はプレイモードを示しており、ディスククランパ
２３とターンテーブル５とでディスクＤをクランプし、スピンドルモータ２２によりター
ンテーブル５を介してディスクＤを高速回転させ、光ピックアップ４を前後進ａ，ｂさせ
ることにより、ディスクＤに記録されている映像の再生や録画または消去を行う。このと
き、清掃具１５付き台車１６はディスクＤより後方の離れた位置に待機させている。
【００２６】
プレイモードからアンローディング信号が入力されと、図７に示すように、光ピックア
ップ４をスピンドルモータ２２に接近する位置まで前進ａさせ、カムスライダ１４を左方
向ｅ（または右方向ｆ）にスライドさせることにより、カム溝１４ａ及びカム軸１３を介
してドライブシャーシ３を下動ｃさせ、ターンテーブル５上のディスクＤをトレイ１のデ
ィスク載置凹部１ａ上に受け渡した後、該トレイ１の前進ａにより押出杆３４をカムピン
２９に押しつけて台車１６を光ピックアップ４に接近または当接する位置まで押し出す。
このとき、ドライブシャーシ３が傾斜されていることを利用して、押出杆３４がカムピン
２９の上を通過して前進ａするのを許容する。
【００２７】
図８に示すように、最前進ａさせたトレイ１上のディスクＤを取り外したり新たなディ
スクＤをディスク載置凹部１ａ上に載置する。
【００２８】
図９に示すように、ローディング信号に基づいて、トレイ１を後進ｂさせ、カムスライ
ダ１４を左方向ｆ（または右方向ｅ）にスライドさせることにより、ドライブシャーシ３
を上動ｄさせ、ターンテーブル５によりトレイ１上のディスクＤを持ち上げ、該ディスク
Ｄをディスククランパ２３とターンテーブル５とでクランプする。
【００２９】
それと同時に、ディスクＤに清掃具１５を当接させ、該ディスクＤを回転させると共に
、光ピックアップ４を読取動作のために後進ｂさせ、該光ピックアップ４により台車１６
を元の位置まで押し出し（図９仮想線参照）、これにより、カムピン２９をカム溝２８に
嵌入させて該カム溝２８内を後方に移動させ、そのカムピン２９及びカム溝２８を介して
揺動アーム２７を揺動させることにより、清掃具１５をディスクＤのメディア面に沿って
水平方向ｇ，ｈに該ディスクＤから外れる位置までスライドさせると同時に揺動させ、デ
ィスクＤのメディア面を清掃する。
【００３０】
上記構成によれば、ディスクＤのメディア面を清掃するための清掃具１５付き台車１６
がドライブシャーシ３上の光ピックアップ４より後側に配置されてトレイ１から縁切りさ
れており、該トレイ１の重量が従来のように増加していないので、そのトレイ１を安定し
て静かに前後進させることができ、しかも、トレイ１を前後進ａ，ｂさせるローディング
モータ（図示せず）の駆動力を大きくする必要もなく、経済的である。
【００３１】
また、トレイ１の前進ａと光ピックアップ４の後進ｂとを利用して清掃具１５付き台車
１６が前後進ａ，ｂされるようになっており、その台車１６を駆動するための専用モータ
が不要であるから、大幅にコストダウンを図ることができる。
【００３２】
更に、揺動機構１７により清掃具１５をディスクＤの半径方向にスライドさせると同時
に、該清掃具１５を水平方向ｇ，ｈに揺動させるようになっているので、その清掃具１５
によりディスクＤのメディア面を確実に清掃することができる。
【００３３】
前記揺動機構１７が、先端部に清掃具１５を設けた揺動アーム２７と、トレイ１の下面
のカム溝２８に嵌入させたカムピン２９と、ばね３２と、ストッパピン３３とを有してお
り、その構造が簡単であるから、製作費が安くつくと共に、カムピン２９をカム溝２８に
沿って移動させることにより、清掃具１５を確実に揺動させることできる。
【００３４】
前記実施の形態では、台車１６の後進ｂにより清掃具１５をディスクＤの半径外方向に
スライドさせると同時に、揺動機構１７により清掃具１５を揺動させるようにしたが、そ
の揺動機構１７を省略し、台車１６の後進ｂにより清掃具１５をディスクＤの半径外方向
にスライドさせるだけでもよい。
【産業上の利用可能性】
【００３５】
上記実施の形態では、ＤＶＤレコーダを例にあげて説明したが、これに限定されるわけ
ではなく、例えばＤＶＤプレーヤなどの各種ディスク装置にも適用される。
【図面の簡単な説明】
【００３６】
【図１】本発明の実施の一形態であるディスク装置の概略平面図である。
【図２】同縦断面図である。
【図３】同清掃具付き台車及び揺動機構の一部切欠き正面図である。
【図４】同清掃具付き台車及び揺動機構の平面図である。
【図５】同清掃具付き台車及び揺動機構の分解斜視図である。
【図６】同トレイの斜視図である。
【図７】同アンローディング動作の前半の縦断面図である。
【図８】同アンローディング動作の後半の縦断面図である。
【図９】同ローディング動作の縦断面図である。
【図１０】（ａ）は従来例を示す斜視図、（ｂ）は要部の平面図である。
【符号の説明】
【００３７】
１        トレイ
１ａ      トレイのディスク載置凹部
２        メインシャーシ
３        ドライブシャーシ
４        光ピックアップ
５        ターンテーブル
１５      清掃具
１６      台車
１７      揺動機構
２６      枢支軸
２７      揺動アーム
２８      カム溝
２９      カムピン
３２      ばね
３４      押出杆
Ｄ        ディスク
ａ，ｂ    前後進
ｃ，ｄ    上下動
【図１】
2006228270.tif 000003
【図２】
2006228270.tif 000004
【図３】
2006228270.tif 000005
【図４】
2006228270.tif 000006
【図５】
2006228270.tif 000007
【図６】
2006228270.tif 000008
【図８】
2006228270.tif 000009
【図９】
2006228270.tif 000010
【図１０】
2006228270.tif 000011
【図７】
2006228270.tif 000012